(57)【特許請求の範囲】
【請求項１】
浴室ユニットの壁パネルと天井パネルとの間を斜め天井パネルで繋ぐ斜め天井の配設構造であって、壁パネルの上端部に室内側に開口する溝状部を設け、この溝状部に斜め天井パネルの下端部を重合して室内側からネジ具にて固定し、両端に圧入溝部を備えた連結具における一方の圧入溝部に斜め下方に向く溝開口を備えると共に、この一方の圧入溝部に斜め天井パネルの上端部を上記斜め下方に向く溝開口から圧入して固定し、連結具における他方の圧入溝部に略水平に向く溝開口を備えると共に、この他方の圧入溝部に天井パネルの斜め天井パネル側の端部を上記略水平に向く溝開口から圧入して固定して成ることを特徴とする浴室ユニットの斜め天井の配設構造。
【請求項２】
連結具は、上面の両端部に天井パネルの室内面と斜め天井パネルの室内面をそれぞれ載せる屈曲板状の本体部材と、本体部材の上面側に取り付けたバネ片とで構成され、圧入溝部を、対向した本体部材とバネ片との間に形成される連結具の両側に開口する隙間溝で構成したことを特徴とする請求項１記載の浴室ユニットの斜め天井の配設構造。
【発明の詳細な説明】
【技術分野】
【０００１】
本発明は、浴室ユニットの斜め天井の配設構造に関するものである。
【背景技術】
【０００２】
従来から、浴室ユニット１の壁パネル２と天井パネル３との間を斜め天井パネル４で繋ぐ斜め天井５の配設構造には、たとえば図６のような構造が提案されている（たとえば特許文献１参照）。この浴室ユニット１の斜め天井５の配設構造は、壁パネル２の上端部に室内側に開口する溝状部６を設け、この溝状部６に斜め天井パネル４の下端部を嵌入れして固定し、斜め天井パネル４の上端部に上方へ立設した起立片４０を設けると共に、水平な天井パネル３の斜め天井パネル４側の端部に上方へ立設した起立片４１を設け、これら起立片４０，４１同士を突き合わせて両者をビス４２で固定することで、天井パネル３と斜め天井パネル４とを固定するといった構造である。
【０００３】
しかしながら、上記浴室ユニット１の斜め天井５の配設構造によると、天井パネル３と斜め天井パネル４とのビス４２による固定作業が浴室ユニット１外の天井裏空間で行う必要があり、施工性が悪いといった問題があった。つまり、浴室ユニット１の斜め天井５は建物躯体の斜め屋根や梁などを避けるために設けられるので、浴室暖房装置等が載設される水平な斜め天井パネル４の裏の天井裏空間に比べて、斜め天井パネル４の裏の天井裏空間は殊に狭い空間となる傾向があり、該天井裏空間でのビス４２の固定作業はその施工がきわめて行い難いのである。
【特許文献１】特許第３１８４７２２号公報
【発明の開示】
【発明が解決しようとする課題】
【０００４】
本発明は上記の点に鑑みてなされたものであり、その目的とするところは、斜め天井パネルの壁パネルや天井パネルへの固定作業が浴室ユニット側から施工性良く行うことができる浴室ユニットの斜め天井の配設構造を提供することを課題とするものである。
【課題を解決するための手段】
【０００５】
上記課題を解決するために本発明の浴室ユニットの斜め天井の配設構造にあっては、浴室ユニット１の壁パネル２と天井パネル３との間を斜め天井パネル４で繋ぐ斜め天井５の配設構造であって、壁パネル２の上端部に室内側に開口する溝状部６を設け、この溝状部６に斜め天井パネル４の下端部を重合して室内側からネジ具７にて固定し、両端に圧入溝部１１を備えた連結具１０における一方の圧入溝部１１ａに斜め下方に向く溝開口１１ａ１を備えると共に、この一方の圧入溝部１１ａに斜め天井パネル４の上端部を上記斜め下方に向く溝開口１１ａ１から圧入して固定し、連結具１０における他方の圧入溝部１１ｂに略水平に向く溝開口１１ｂ１を備えると共に、この他方の圧入溝部１１ｂに天井パネル３の斜め天井パネル４側の端部を上記略水平に向く溝開口１１ｂ１から圧入して固定して成ることを特徴とする。
【０００６】
これによると、斜め天井パネル４の下端部は、壁パネル２の上端部に対して室内側からのネジ具７の打入作業によって良好な施工性や浴室ユニット１の良好な内観の現出を確保して固定することができる。また、斜め天井パネル４の上端部は、両端に圧入溝部１１を備えた連結具１０を用いて天井パネル３に対して固定するのであるが、一方の圧入溝部１１ａに斜め下方に向く溝開口１１ａ１を備えると共に、この一方の圧入溝部１１ａに斜め天井パネル４の上端部を上記斜め下方に向く溝開口１１ａ１から圧入して固定し、連結具１０における他方の圧入溝部１１ｂに略水平に向く溝開口１１ｂ１を備えると共に、この他方の圧入溝部１１ｂに天井パネル３の斜め天井パネル４側の端部を上記略水平に向く溝開口１１ｂ１から圧入して固定するといったことで、室内側からの作業で斜め天井パネル４の上端部と天井パネル３とを固定することができる。つまり、室内側からの施工性良好な作業で斜め天井パネル４の壁パネル２や天井パネル３への固定を行うことができる。
【０００７】
また、連結具１０は、上面の両端部に天井パネル３の室内面と斜め天井パネル４の室内面をそれぞれ載せる屈曲板状の本体部材１２と、本体部材１２の上面側に取り付けたバネ片１３とで構成され、圧入溝部１１を、対向した本体部材１２とバネ片１３との間に形成される連結具１０の両側に開口する隙間溝１４で構成することも好ましい。
【０００８】
これによると、連結具１０を、浴室ユニット１の室内側に露出する部材（本体部材１２）と、斜め天井パネル４や天井パネル３に弾接させて圧入溝部１１に圧入固定させる部材（バネ片１３）といった機能別の部材で構成でき、各部材（１２，１３）に機能に適した材料・形状を備えるようにでき、機能性が良く簡単な構成の連結具１０を実現できる。
【発明の効果】
【０００９】
本発明にあっては、斜め天井パネルの壁パネルや天井パネルへの固定作業が浴室ユニット側から施工性良く行い得る、という利点を有する。
【発明を実施するための最良の形態】
【００１０】
以下、本発明を添付図面に示す実施形態に基いて説明する。
【００１１】
本例の浴室ユニット１は、図２のように、床パネル９の四周に壁パネル２を立設すると共に壁パネル２の上端に天井パネル３を架設して成る一般の直方体状の浴室ユニット１を元にして、壁パネル２と天井パネル３とが連結する一辺の上部コーナ部に現場施工などで切り欠き施工を施して切欠部１５（図５参照）を形成すると共に、この切欠部１５を塞ぐように壁パネル２と天井パネル３とを斜め天井パネル４で繋ぐことで斜め天井５を設けたものである。なお、切欠部１５は形成する斜め天井５の寸法に合わせて適宜寸法に天井パネル３や壁パネル２を裁断して形成される。
【００１２】
ここで、斜め天井パネル４は、図３のように、斜め傾斜をした板状の本体パネル部１６を有しており、本体パネル部１６の上端には略水平な天井パネル３との連結部２０が設けられ、本体パネル部１６の下端及び左右端には本体パネル部１６の壁パネル２との連結部２１が設けられている。詳しくは、本体パネル部１６は下面が室内面となる金属板１７の上面に断熱材１８が載設されて成り、天井パネル３との連結部２０は、形成する斜め天井５の寸法に合わせて斜め天井パネル４の上縁部を裁断した後に、本体パネル部１６の上端の断熱材１８を省いて本体パネル部１６の金属板１７を残したことで形成されるものであり、また、壁パネル２との連結部２１は、金属板１７を本体パネル部１６から室外方向に延出した延出部２２と、延出部２２の先端を下方に折り曲げた垂下部２３とで形成される。垂下部２３には横長孔状のネジ固定用孔２４が複数穿設されている。
【００１３】
また、壁パネル２の上端縁（切欠部１５がある場合には切欠縁）には固定金具２５が取り付けられる。固定金具２５は、壁パネル２の上端面を覆う上覆い片２６と壁パネル２の室外面を覆う外覆い片２７とを有し、外覆い片２７よりも室外側に位置した上覆い片２６の外端から上方に立設片２８を立ち上げて形成されている。立設片２８にはネジ固定用孔２９が複数穿設されている。
【００１４】
また、天井パネル３は略水平な天井面を形成する水平板状のパネル材であり、上記斜め天井パネル４と同様に金属板１７と断熱材１８とで形成されている。天井パネル３の斜め天井パネル４側の端部には斜め天井パネル４との連結部１９が設けられ、その他の端部には斜め天井パネル４と同様の壁パネル２との連結部２１が設けられている。斜め天井パネル４との連結部１９は斜め天井パネル４における天井パネル３との連結部２０と同構造を有している。なお、本例の浴室ユニット１における天井パネル３は、点検口３３の有る小パネル３ｂと点検口３３の無い小パネル３ａとで分割構成されており、突合わせた両小パネル同士３ａ，３ｂを天井パネル３裏の天井裏空間でビス３４にて連結することで形成されている。
【００１５】
図１のように、斜め天井パネル４や天井パネル３の壁パネル２への連結は、まず、各天井パネル３の壁パネル２との連結部２１における垂下部２３を固定金具２５の立設片２８に重ね合わせ、連通させたネジ固定用孔２４，２９にネジ具７を室内側から螺合させることで、垂下部２３と立設片２８とを固定させる。このとき、壁パネル２の上端部には、各天井パネル３の壁パネル２との連結部２１における延出部２２と固定金具２５の上覆い片２６とが上下に隙間を隔てて対向することとなり、室内側に開口する溝状部６が形成される。その後、この溝状部６に室内側から廻り縁部材８を水密的に圧入してネジ具７を隠匿させる。この廻り縁部材８はいわゆる長尺の乾式目地材であり、床パネル９の四周に立設する各壁パネル２の上端に亙って無端帯状に浴室ユニット１の内観に露出することとなり、統一性のある良好な内観を浴室ユニット１に現出させる。
【００１６】
一方、斜め天井パネル４の天井パネル３への連結は、斜め天井パネル４の上端部（天井パネル３との連結部２０）と天井パネル３の斜め天井パネル４側の端部（斜め天井パネル４との連結部１９）との間に亙って配置されて両者を連結させる連結具１０を用いて行われる。連結具１０は、図１のように、その両端に、斜め天井パネル４の上端部（２０）や天井パネル３の斜め天井パネル４側の端部（１９）を圧入固定する圧入溝部１１を備えている。
【００１７】
具体的に、この連結具１０は、図１，４のように、上面の両端部に天井パネル３の室内面と斜め天井パネル４の室内面をそれぞれ載せる長尺の断面屈曲板状の本体部材１２と、本体部材１２の上面側の適宜箇所に取り付けた複数のバネ片１３とで構成されていて、左右対称形状を有している。本例では、本体部材１２は、アルミ押出型材で構成されていて、両端の圧入溝部１１の間である中央部には台座突条３０が上方に突設されている。また、バネ片１３は、弾性に富んだＳＵＳ製の断面Ｗ型状の短尺板で構成されていて、中央部１３ａが台座突条３０に被せた状態でビス３１にて固定され、該中央部１３ａから両端部にかけて徐々に下方に位置されて本体部材１２の両端の各上面に弾接され、この弾接点から上方に折り返した折返し部３２が形成されている。つまり、連結具１０の圧入溝部１１は、対向した本体部材１２とバネ片１３との間に形成される連結具１０の両側に開口する隙間溝１４で構成される。
【００１８】
そして、斜め天井パネル４と天井パネル３との連結具１０を介した連結は、図１のように、屈曲板状の本体部材１２の上面の両端部に天井パネル３の室内面と斜め天井パネル４の室内面をそれぞれ載せるように連結具１０を配置した状態で、斜め下方に向く溝開口１１ａ１から一方の圧入溝部１１ａに斜め天井パネル４の上端部（２０）を該溝開口から圧入して固定すると共に、略水平に向く溝開口１１ｂ１から他方の圧入溝部１１ｂに天井パネル３の斜め天井パネル４側の端部（１９）を圧入して固定するといった、室外側からの不可避的な作業を伴うことのない構造によって行われるのである。
【００１９】
すなわち、上記構成の本例の浴室ユニット１では、斜め天井パネル４の下端部は、壁パネル２の上端部に対して室内側からのネジ具７の打入作業や廻り縁部材８の圧入作業によって良好な施工性や浴室ユニット１の良好な内観の現出を確保して固定することができたものである。また、斜め天井パネル４の上端部（２０）は、両端に圧入溝部１１を備えた連結具１０を用いて天井パネル３に対して固定するのであるが、一方の圧入溝部１１ａに斜め下方に向く溝開口１１ａ１を備えると共に、この一方の圧入溝部１１ａに斜め天井パネル４の上端部を上記斜め下方に向く溝開口１１ａ１から圧入して固定し、連結具１０における他方の圧入溝部１１ｂに略水平に向く溝開口１１ｂ１を備えると共に、この他方の圧入溝部１１ｂに天井パネル３の斜め天井パネル４側の端部（１９）を上記略水平に向く溝開口１１ｂ１から圧入して固定するといったことで、室内側からの作業で斜め天井パネル４の上端部と天井パネル３とを固定することができたものである。
【００２０】
しかも、斜め天井パネル４の上端部と天井パネル３との固定は、天井パネル３及び斜め天井パネル４と壁パネル２との連結に使用するネジ具７を用いることなく、つまりネジ具７を隠匿する廻り縁部材８を用いることなく、行うことができたものである。したがって、本例の浴室ユニット１では、壁パネル２の上端部にのみ廻り縁部材８があるという一定の内観をも確保できる、といった利点も有しているのである。
【００２１】
また、本例の連結具１０は、上記のように浴室ユニット１の室内側に露出する部材（本体部材１２）と、斜め天井パネル４や天井パネル３に弾接させて圧入溝部１１に圧入固定させる部材（バネ片１３）といった機能別の部材で構成したものであるから、各部材（１２，１３）に機能に適した材料・形状を備えるようにでき、機能性が良く簡単な構成の連結具１０を実現できたものである。
【００２２】
図５には本例の浴室ユニット１の一施工例を示す。この施工例では、第１施工作業として、壁パネル２を切断して所定の切欠部１５を形成する。第２施工作業として、天井パネル３を切断して所定の切欠部１５を形成する。第３施工作業として、所定の切欠部１５に寸法を合わせて斜め天井パネル４の上縁部を切断して天井パネル３との連結部２０を形成する。第４施工作業として、壁パネル２の上端縁に固定金具２５を取り付ける。第５施工作業として、バネ片１３を本体部材１２に取り付けて連結具１０を形成する。第６施工作業として、斜め天井パネル４における天井パネル３との連結部２０を連結具１０の一方の圧入溝部１１ａに圧入固定する。第７施工作業として、斜め天井パネル４における壁パネル２との連結部２１を固定金具２５を介して壁パネル２に固定する。第８施工作業として、天井パネル３（切欠部１５を形成した方の小パネル３ａ）を、連結具１０を介して斜め天井パネル４に固定すると共に、その壁パネル２との連結部２１を固定金具２５を介して壁パネル２に固定する。第９施工作業として、天井パネル３（切欠部１５を形成しない方の小パネル３ｂ）を切欠部１５を形成した方の小パネル３ａにビス３４にて連結させると共に、壁パネル２との連結部２１を固定金具２５を介して壁パネル２に固定する。第１０施工作業として、各壁パネル２の上部に形成されている溝状部６に廻り縁部材８を圧入して固定する。このような施工手順を踏むことで、本例の斜め天井５を有した浴室ユニット１を、スムーズに施工性良く形成することができる。
【図面の簡単な説明】
【００２３】
【図１】本発明の実施の形態の例の浴室ユニットの斜め天井の縦断面図である。
【図２】同上の浴室ユニットの一部を透過した斜視図である。
【図３】同上の斜め天井パネルの側断面図である。
【図４】同上の連結具の構成部品図であり、（ａ）はバネ片の側面図であり、（ｂ）は（ａ）の右側面図であり、（ｃ）は本体部材の側面図であり、（ｄ）は（ｃ）の右側面図である。
【図５】同上の浴室ユニットの斜め天井の配設施工の一例である。
【図６】従来技術の例の浴室ユニットの斜め天井の縦断面図である。
【符号の説明】
【００２４】
１  浴室ユニット
２  壁パネル
３  天井パネル
４  斜め天井パネル
５  斜め天井
６  溝状部
７  ネジ具
８  廻り縁部材
１０  連結具
１１  圧入溝部
１２  本体部材
１３  バネ片
１４  隙間溝
【図１】
0004989451.tif 000002
【図２】
0004989451.tif 000003
【図３】
0004989451.tif 000004
【図４】
0004989451.tif 000005
【図５】
0004989451.tif 000006
【図６】
0004989451.tif 000007